(57)【要約】      （修正有）【課題】利用者が好きな用紙を用いてオルゴールを演奏できるようにする演奏用シート生成定規を提供する。【解決手段】対応するオルゴール装置のスターホイールと位置、及び数に対応した位置に印刷された水平線２１と、小節の位置を示し縦に印刷された小節線２２と、水平線と、小節線とが交わる位置に形成された開口部２３と、両端の小節線の近傍に記された音階と、を備える。【選択図】図４−２
0003187680.tif 000002
【実用新案登録請求の範囲】
【請求項１】
対応するオルゴール装置のスターホイールと位置、及び数に対応した位置に印刷された水平線と、
小節の位置を示し縦に印刷された小節線と、
前記水平線と、小節線とが交わる位置に形成された開口部と、
両端の前記小節線の近傍に記された音階と、
を備える演奏用シート生成定規。
【請求項２】
隣接する前記小節線の間隔が、３．７５ｍｍである
ことを特徴とする請求項１に記載の演奏用シート生成定規。
【請求項３】
前記オルゴールの搬送方向における長さが１２０ｍｍ、前記搬送方向と直交する長さが４１ｍｍ
であることを特徴とする請求項１又は２に記載の演奏用シート生成定規。
【請求項４】
前記開口部は、その径が前記小節線の間隔の半分より小さく形成されている
ことを特徴とする請求項１〜３のいずれか一項に記載の演奏用シート生成定規。
【考案の詳細な説明】
【技術分野】
【０００１】
本考案は、演奏用シート生成定規に関する。
【背景技術】
【０００２】
オルゴールとしては、電子式オルゴール、手巻き式オルゴールなど様々な種類のオルゴールが開発されている。電子式オルゴールにあっては、音楽データが記憶された記憶デバイスを入れ替えることで、１つのオルゴールで複数の楽曲を演奏することができるものがある。一方で、手動のオルゴールの場合、あらかじめ所定の楽曲を演奏するための機構がオルゴール自体に組み込まれており、１つのオルゴールで複数の楽曲を演奏することは困難であった。
【先行技術文献】
【特許文献】
【０００３】
【特許文献１】特開平１１−２９６１６５号公報
【特許文献２】特開２０１０−２７７０２７号広報
【考案の概要】
【考案が解決しようとする課題】
【０００４】
上記のような１つのオルゴール装置で、複数の楽曲を演奏することができる場合を想定したとすると、例えば予め楽曲にあわせてシートに孔を開口しておき、この孔とスターホイールのつめがひっかかりスターホイールが回転する。そして、回転したスターホイールに設けられた別のつめがくし歯をはじくことで楽曲が演奏されるものが想定される。このような手巻きオルゴール装置においては、専用のシートを用いた演奏が行われるが、利用者が好きな用紙を用いてオルゴールを演奏したい場合、具体的な方法は提案されていなかった。
【０００５】
本考案は、上記を鑑みてなされたものであり、利用者が好きな用紙を用いてオルゴールを演奏できるようにすることを目的とする。
【課題を解決するための手段】
【０００６】
上述した課題を解決し、目的を達成するために、本考案は対応するオルゴール装置のスターホイールと位置、及び数に対応した位置に印刷された水平線と、小節の位置を示し縦に印刷された小節線と、前記水平線と、小節線とが交わる位置に形成された開口部と、両端の前記小節線の近傍に記された音階と、を備えるいることを特徴とする。
【図面の簡単な説明】
【０００７】
【図１】図１は、オルゴール装置の斜視図である。
【図２】図２は、オルゴール装置の内側にあるシートを演奏する機構の構造を示す斜視図である。
【図３】図３は、オルゴール装置の側面図である。
【図４−１】図４−１は、オルゴール装置の演奏用シートとして利用者が使用を所望するはがきの一例を示す図である。
【図４−２】図４−２は、はがきに演奏用シート生成定規を当てた状態を示す図である。
【図４−３】図４−３は、はがきに演奏用シート生成定規を当てた状態を示す図である。
【図４−４】図４−４は、はがきに演奏用シート生成定規を当てた状態を示す図である。
【図４−５】図４−５は、はがきに演奏用シート生成定規を当てた状態を示す図である。
【図４−６】図４−６は、オルゴール装置の演奏用シートとして利用者が使用を所望するはがきを演奏用シートとして切り取った状態の一例を示す図である。
【図４−７】図４−７は、オルゴール装置の演奏用シートとして利用者が使用を所望するはがきを演奏用シートとして切り取った状態の一例を示す図である。
【図４−８】図４−８は、オルゴール装置の演奏用シートとして利用者が使用を所望するはがきを演奏用シートとして切り取った状態の一例を示す図である。
【考案を実施するための形態】
【０００８】  以下本考案を具体化した実施形態について図面を参照して、説明する。図１は、オルゴール装置の斜視図である。図２は、オルゴール装置の内側に設けられた演奏用シートを配置する台座部の状態を示す斜視図である。図３は、台座部の側面図である。図１に示されるように、オルゴール装置１は、カード型の演奏用シートを差し込んで使用するカード式オルゴールであり、例えば（公序良俗違反につき、不掲載）の１５弁式オルガニートである。オルゴール装置１は、半音を含まないドからドまでの１５音が演奏可能である。オルゴール装置１は、回転操作部２、第１回転軸６、第２回転軸５、台座部８を備えている。回転操作部２をまわすことで、回転操作部２の端部に設けられたギアの回転が、第１回転軸６、及び第２回転軸５へと伝達されて、それぞれの回転軸５、６が回転する。また、第２回転軸５には、第２回転軸５の回転とは同期しないスターホイール７が設けられている。
【０００９】
そして、回転操作部２の回転によって、台座部８の上に設置され、第１回転軸６、及び第２回転軸５の間に挿入された演奏用シート１０が送り出される。そして、演奏用シート１０に空けられた孔１１が、第１回転軸６に形成されたスターホイール７のツメと係合する。回転に応じて送り出された演奏用シート１０上の孔を、スターホイール７のツメが拾うことによりスターホール７が回転し、スターホイール７のツメがくし歯９をはじき、所定の音が奏でられる。なお、くし歯９は１５本形成され、スターホイール７もくし歯９の数と位置にあわせて１５個設置されている。スターホイールには、合計４つのツメが７ｍｍ間隔で付いており、紙の孔によって押し進められるツメの７ｍｍ後ろに位置するツメが、内部のくし歯９を弾き音が鳴る。よって同音を連続で鳴らす場合、同音上に来る孔と孔の間隔を７ｍｍ以上置かなければ、ツメが回転せず、音を鳴らすことができない。孔が来ない位置のツメは、推し進められることなく、待機状態である。
【００１０】
図４−１〜図４−８は、用紙をオルゴール演奏用シートとして生成する際に使用する演奏用シート生成定規２０の構成、及び使用例を示す図である。図４−１は、利用者が演奏用シートして使用したいものとした選択したはがき３０の例であり、はがき３０には所定のデザインや文字等が印刷されている。図４−２に示すように、このようなはがき３０に、演奏用シート生成定規２０を当てて使用する。図４−３〜図４−５に示されるように、絵はがきや写真に、この演奏用シート生成定規２０をあてがい、筆記具を用い、定規の四隅の位置に印をつけ、穴の位置を記し、四隅の印に沿って用紙をはさみやカッターなどで切断する。そして、図４−６〜図４−８に示されるように、切断後に、先に記した丸に穴あけ用のパンチによって穴をあけると、オルゴールを鳴らす演奏用シートが作成される。なお、このような演奏用シートとして用いられる用紙は、斤量１６０ｋｇ〜２００ｋｇ程度の紙であることが望ましい。
【００１１】
演奏用シート生成定規２０は、製造上、ＰＥＴシートに、金箔押しを施した後、レーザー加工機で仕上げ断栽と丸穴あけを行っている。設計上留意した点は、丸穴の径を２ｍｍよりも小さく１．４９３ｍｍとした点である。これは２ｍｍ径の穴でレーザー処理すると縦一列の穴同士が連結してしまい、丸が付しにくいのと、定規自体の堅牢性が損なわれるためである。すなわち、開口部は、その径が前記小節線の間隔の半分より小さく形成されている。
【００１２】
演奏用シート生成定規２０は、五線譜が書かれており、１５本の水平線と３．７５ｍｍ間隔の縦線（小節線）が印刷されている。１５本の水平線は、対応するオルゴール装置の各スターホイールの位置に来るように設計されており、この位置で用紙に孔を開けると音の鳴る位置に孔が来るようになっている。すなわち、水平線はスターホールの位置、及び数に対応して記載されている。また、水平線２１と小節線２２とが交わる位置には、開口部２３が形成されており、この開口部２３で所望の用紙にペンなどで印を付けることで、用紙に音がなる位置を適切に転記することができるようになる。また、演奏用シート生成定規２０の左右両端の小節線２２の横には、それぞれ日本語で記載された音階が印刷されている。
【００１３】
したがって、利用者は、この演奏用シート生成定規２０を用いて、所望の用紙に対して、音を鳴らしたい音階や小節を指定して印をつけることで、どのような用紙であっても対応するオルゴール装置で音が鳴る位置に適切に孔をあけることができるようになる。したがって、利用者が好きな用紙を用いてオルゴールを演奏できるようにすることができる。
【００１４】
以上、本考案の好適な実施例について説明したが、本考案は、かかる実施形態に限定されず、その考案の趣旨を逸脱しない範囲で種々の変形実施が可能である。当業者であれば、実用新案登録請求の範囲に記載された技術的思想の範囲内において、各種の変更例又は修正例に想到しうることは明らかであり、それらについても当然に本考案の技術的範囲に属するものと了解される。
【符号の説明】
【００１５】
１  オルゴール装置
１０  演奏用シート
２０  演奏用シート生成定規
３０  はがき
【図１】
0003187680.tif 000003
【図２】
0003187680.tif 000004
【図３】
0003187680.tif 000005
【図４−１】
0003187680.tif 000006
【図４−２】
0003187680.tif 000007
【図４−３】
0003187680.tif 000008
【図４−４】
0003187680.tif 000009
【図４−５】
0003187680.tif 000010
【図４−６】
0003187680.tif 000011
【図４−７】
0003187680.tif 000012
【図４−８】
0003187680.tif 000013
【手続補正書】
【提出日】平成25年10月15日(2013.10.15)
【手続補正１】
【補正対象書類名】明細書
【補正対象項目名】０００８
【補正方法】変更
【補正の内容】
【０００８】
以下本考案を具体化した実施形態について図面を参照して、説明する。図１は、オルゴール装置の斜視図である。図２は、オルゴール装置の内側に設けられた演奏用シートを配置する台座部の状態を示す斜視図である。図３は、台座部の側面図である。図１に示されるように、オルゴール装置１は、カード型の演奏用シートを差し込んで使用するカード式オルゴールであり、例えば１５弁式オルガニートである。オルゴール装置１は、半音を含まないドからドまでの１５音が演奏可能である。オルゴール装置１は、回転操作部２、第１回転軸６、第２回転軸５、台座部８を備えている。回転操作部２をまわすことで、回転操作部２の端部に設けられたギアの回転が、第１回転軸６、及び第２回転軸５へと伝達されて、それぞれの回転軸５、６が回転する。また、第２回転軸５には、第２回転軸５の回転とは同期しないスターホイール７が設けられている。